(57)【要約】【課題】外気の取り込み量が確保され且つ騒音が抑えられる空気調和装置の室内機を提供する。【解決手段】空気調和装置の室内機３ａは、室内空気取込口と、室外空気取込口４４と、シロッコファン５０，６０とを備える。室内空気取込口は、室内から空気を取り込むために設けられている。室外空気取込口４４は、室外から空気を取り込むために設けられている。シロッコファン５０，６０は、複数のベルマウス５１，５２，６１，６２を有しており、それらから吸い込んだ空気を室内側へ送り出す。これらのベルマウス５１，５２，６１，６２のうち、ベルマウス６２は、室外空気取込口４４と直接接続される。【選択図】　　　　図４
2004061075.tif 000002
【特許請求の範囲】
【請求項１】
取り込んだ空気を調和して室内へ送り出す空気調和装置の室内機（３ａ）であって、
室内から空気を取り込む室内空気取込口（４２）と、
室外から空気を取り込む室外空気取込口（４４）と、
複数の空気吸込口（５１，５２，６１，６２）を有し、前記空気吸込口から吸い込んだ空気を前記室内側へ送り出す送風機構（５０，６０）と、
を備え、
前記送風機構の空気吸込口のうち少なくとも１つ（６２）は、前記室外空気取込口（４４）と接続可能にされている、
空気調和装置の室内機。
【請求項２】
前記送風機構の空気吸込口のうち少なくとも１つ（６２）と、前記室外空気取込口（４４）とは、隣接配置され、互いに接続されている、
請求項１に記載の空気調和装置の室内機。
【請求項３】
前記室外空気取込口（４４）は、取り外し可能な閉鎖部材（４５）で塞がれている、
請求項１に記載の空気調和装置の室内機。
【請求項４】
請求項３に記載の空気調和装置の室内機（３ａ）を建物に設置する室内機設置方法であって、
前記閉鎖部材（４５）を取り外す第１ステップと、
前記建物の外部と連通するダクト（７０）を、前記室外空気取込口（４４）に挿通させる第２ステップと、
前記ダクト（７０）の先端（７１）を、所定の前記空気吸込口（６２）に接続する第３ステップと、
を備えた室内機設置方法。
【請求項５】
前記送風機構（５０，６０）は、前記室外空気取込口（４４）と接続可能な前記送風機構の空気吸込口（６２）に対応する第１ファンロータ（６４）と、前記室外空気取込口（４４）と接続不能な前記送風機構の空気吸込口（５１，５２，６１）に対応する第２ファンロータ（５３，５４，６３）とをさらに有しており、
前記第１ファンロータ（６４）の静圧は、前記第２ファンロータ（５３，５４，６３）の静圧よりも大きい、
請求項１から３のいずれかに記載の空気調和装置の室内機。
【発明の詳細な説明】
【０００１】
【発明の属する技術分野】
本発明は、空気調和装置の室内機および室内機設置方法、特に、取り込んだ空気を調和して送風機構によって室内へ送り出す空気調和装置の室内機に関する。
【０００２】
【従来の技術】
冷房、除湿、暖房、あるいは空気清浄などの空気調和を行う空気調和装置は、様々な種類のものが普及している。空気調和装置は、室内の空気を取り込んで空気調和を施した後に空気を室内へと戻すものが多いが、室内の換気を目的として外気を室内へと取り入れる機能を有するものも存在する。
【０００３】
例えば、図７に示す空気調和装置は、室内機のケーシング１４１の内と外とを結ぶダクト１７０を室内機に連結し、室内ファン１５０，１６０によりケーシング１４１内に室内空気とともに建物外から室外空気を取り入れ、それらの混合空気を室内熱交換器１３０ａにより空気調和して室内へと吹き出す。
ところが、室内機と外気のある外部とを結ぶダクトの長さが長くなることがある。例えば、ビルの各フロアーの天井に室内機が設置される空気調和装置の場合には、外気を取り入れるためのダクトをビルの天井裏などにおいて長く延ばす必要があり、ダクトの長さが長くなる傾向にある。このようにダクトが長くなると、ダクトの圧力損失が大きくなり、室内機において室内ファンを回しても室内空気ばかりを吸い込んで外気がケーシング内に吸い込まれなくなる現象が生じる。
【０００４】
この現象を抑えて、一定量の外気を室内機の内部（ケーシングの内部）へと送り込むため、図８に示すように、ダクト１７０の途中にブースタファン１８０を設けることが行われる場合がある。この場合には、一定量の外気が室内機の内部に導入され、室内の換気が十分に為されるようになる。
【０００５】
【発明が解決しようとする課題】
しかし、ブースタファンを設けると初期コストやランニングコストが増加してしまう。また、図６および図７に示すような構成で室内機の内部に外気を取り込んだ場合には、室内から取り込まれた室内空気とダクトから取り込まれた外気とがケーシング内において衝突し、室内機から漏れる騒音が大きくなってしまうという問題もある。
【０００６】
本発明の課題は、室外からの空気（外気）の取り込み量が確保され且つ騒音が抑えられる空気調和装置の室内機、およびその室内機を設置する方法を提供することにある。
【０００７】
【課題を解決するための手段】
請求項１に係る空気調和装置の室内機は、取り込んだ空気を調和して室内へ送り出す空気調和装置の室内機であって、室内空気取込口と、室外空気取込口と、送風機構とを備えている。室内空気取込口は、室内から空気を取り込むために設けられている。室外空気取込口は、室外から空気を取り込むために設けられている。送風機構は、複数の空気吸込口を有しており、それらの空気吸込口から吸い込んだ空気を室内側へ送り出す。例えば、送風機構は、空気吸込口となるベルマウスを有する複数の送風機であってもよいし、両側にそれぞれベルマウスを有する両吸込型の１つのシロッコファンであってもよい。そして、ここでは、送風機構の空気吸込口のうち少なくとも１つは、室外空気取込口と接続可能にされている。
【０００８】
この室内機では、送風機構の複数の空気吸込口のうち、少なくとも１つの空気吸込口について、室外空気取込口との接続を可能にしている。したがって、室外空気を室内機から室内へと送り出して室内の換気を行いたい場合には、室外空気取込口を対応する空気吸込口に接続することにより、その空気吸込口を介して吸い込んだ室外空気を送風機構が室内側に送り出すようになる。これにより、室内の換気が行われる。
【０００９】
本発明では、従来のように単に室内機の内部に室外空気を取り込ませるのではなく、送風機構の複数の空気吸込口の１つ（あるいは複数）に対して室外空気取込口を直接に接続させることができるため、室外空気の取り込み量を確保することが可能となる。また、換気を行うために室外空気取込口を対応する送風機構の空気吸込口に接続した場合において、室外空気取込口から取り込まれる室外空気は、送風機構に入る前に室内空気と衝突することなく、送風機構内に直接吸い込まれるため、室内機の内部における室内空気と室外空気との衝突が抑えられ、室内機が発する騒音が小さくなる。
【００１０】
なお、送風機構は、例えば１つの空気吸込口を有する送風機の集合であってもよいし、２つの空気吸込口を有する両吸込型の送風機であってもよい。
請求項２に係る空気調和装置の室内機は、請求項１に記載の空気調和装置の室内機であって、送風機構の空気吸込口のうち少なくとも１つと、室外空気取込口とは、隣り合わせに配置されており、互いに接続されている。
【００１１】
ここでは、室外空気取込口とそれに対応する送風機構の空気吸込口とを、隣接させ予め接続させている。すなわち、室外空気取込口に接続可能な上記の空気吸込口を、室外空気の吸込口としても室内空気の吸込口としても使えるものではなく、専用の室外空気の吸込口としている。このため、上記の空気吸込口と室外空気取込口との間に隙間を設ける必要がなくなり、室内機が小型化する。
【００１２】
請求項３に係る空気調和装置の室内機は、請求項１に記載の空気調和装置の室内機であって、室外空気取込口は、取り外し可能な閉鎖部材で塞がれている。
ここでは、室内機の汎用性を高めるために、室外空気取込口を閉鎖部材で塞いでいる。このため、室外空気を室内に取り入れる換気を空気調和装置の室内機で行う必要がない場合に、閉鎖部材を取り外さずに、すなわち室内機と外部とを連通させることなしに、そのまま室外空気取り込み機能なしの空気調和装置として使用することが可能である。一方、換気を行わせたいときには、閉鎖部材を室外空気取込口から取り外し、室外空気取込口とそれに対応する送風機構の空気吸込口とを接続すればよい。
【００１３】
請求項４に係る室内機設置方法は、請求項３に記載の空気調和装置の室内機を建物に設置する室内機設置方法であって、第１ステップと、第２ステップと、第３ステップとを備えている。第１ステップでは、閉鎖部材を取り外す。第２ステップでは、建物の外部と連通するダクトを、室外空気取込口に挿通させる。第３ステップでは、ダクトの先端を、所定の空気吸込口に接続する。
【００１４】
ここでは、閉鎖部材を室外空気取込口から取り外した後に、建物の外部と連通するダクトを室外空気取込口から室内機の内部に差し込んで、そのダクトの先端を空気吸込口に接続させる。このように、建物の外部から室内機へと延びるダクトを利用して、室外空気取込口と対応する送風機構の空気吸込口とを接続しているため、別個の接続部品が必要なくなるとともに、接続作業も簡易化される。
【００１５】
請求項５に係る空気調和装置の室内機は、請求項１から３のいずれかに記載の空気調和装置の室内機であって、送風機構は、第１ファンロータと、第２ファンロータとをさらに有している。第１ファンロータは、室外空気取込口と接続可能な送風機構の空気吸込口に対応するものである。第２ファンロータは、室外空気取込口と接続不能な送風機構の空気吸込口に対応するものである。そして、第１ファンロータの静圧は、第２ファンロータの静圧よりも大きくなっている。
【００１６】
ここでは、室外空気を吸い込むことに使用され得る第１ファンロータを、第２ファンロータよりも静圧の大きいものとしている。これにより、室外空気のある外部と室内機の設置場所とが離れていて、室外空気を室内機まで取り込むためのダクトが長くて圧力損失の大きいものになる場合にも、室外空気を送風機構によって吸い込むことができるようになる。
【００１７】
【発明の実施の形態】
＜空気調和装置の概略構成＞
本発明の一実施形態に係る室内機を有する空気調和装置は、図１に示すように、室外機２と、その室外機２に接続される複数の室内機３ａ〜３ｄとから構成される、いわゆるマルチ型の空気調和装置である。この空気調和装置では、１台の室外機２に対して４台の室内機３ａ〜３ｄが、冷媒配管や伝送線を介して接続されている。４台の室内機３ａ〜３ｄは、例えば、家庭内やビル内、店舗内において、それぞれ別の部屋に配置される。空気調和装置は、図１に示すように、室外機２内の各冷媒機器と、室内機３ａ〜３ｄ内の各冷媒機器と、室外機２および室内機３ａ〜３ｄを結ぶ連絡冷媒配管とにより構成される冷媒回路を形成している。
【００１８】
室外機２は、圧縮機２０、四路切換弁２１、室外熱交換器２２、アキュムレータ２３などを備えている。室内機３ａは、互いに直列に接続された室内熱交換器３０ａおよび電動弁３３ａを備えている。電動弁３３ａは、室内熱交換器３０ａの出口側に設けられており、室内熱交換器３０ａに流れる冷媒量を調整する。他の室内機３ｂ，３ｃ，３ｄについても同様の構成であり、図１において、室内熱交換器および電動弁に対して同等の記号を付している。また、図示しないが、この冷媒回路には、各種サーミスタが設置されている。
【００１９】
＜室内機の構成＞
次に、室内機３ａ〜３ｄの構成を説明する。室内機３ａ〜３ｄはそれぞれ同様の構成であるため、ここでは、図２および図３を参照しながら、室内機３ａについて説明を行う。
室内機３ａは、天井埋設型であり、天井に埋設されるケーシング４１を有している。この室内機３ａは、基本的には、室内の空気を室内空気取込口４２からケーシング４１の内部に取り込み、その空気に熱交換等の空気調和を施した後、空気調和された空気を吹出口４３から室内へと供給するものである。但し、後述するように、室内機３ａは、外気を建物外から導入して室内へと供給する機能を併せ持つものにすることも可能である。
【００２０】
ケーシング４１は、その内部に室内機３ａの構成部品を保持するための部材であり、略直方体形状の外形を有している。このケーシング４１は、板金と、その板金の内面に位置する断熱材とから構成されている。また、ケーシング４１は、その底部に、略長方形状の化粧パネル４１ａを有している。ケーシング４１の底部の中央には室内空気取込口４２が形成され、室内空気取込口４２の外側には２つの吹出口４３が形成されている。
【００２１】
ケーシング４１の内部は、仕切板４８によって室内空気取込口４２側の第１空間Ｓ１と吹出口４３側の第２空間とに仕切られており、第１空間Ｓ１に送風機構が配置されており、第２空間Ｓ２に室内熱交換器３０ａが配置されている。
第１空間Ｓ１に配置されている送風機構は、両吸込型の２つのシロッコファン５０，６０と、両シロッコファン５０，６０のファンロータ５３，５４，６３，６４を回転させる駆動装置４９とから構成されている。シロッコファン５０／６０は、スクロールケーシングの内部に多翼のファンロータ５３，５４／６３，６４が配置される多翼送風機である。シロッコファン５０／６０のスクロールケーシングの両側面には、空気吸込口を構成するベルマウス５１，５２／６１，６２が設けられている。ベルマウス５１，５２，６１，６２は、それぞれ、ファンロータ５３，５４，６３，６４に対向している。そして、シロッコファン５０／６０は、両ベルマウス５１，５２／６１，６２から空気を吸い込み、ファンロータ５３，５４／６３，６４により遠心方向に吐き出した空気をスクロールケーシングでまとめ、上方の第２空間Ｓ２へと押し出す。駆動装置４９は、モータやギア機構により構成されている。
【００２２】
第２空間Ｓ２に配置されている室内熱交換器３０ａは、クロスフィン型の熱交換器であり、図２および図３に示すように、シロッコファン５０，６０とケーシング４１の吹出口４３との間に配置されている。これらの室内熱交換器３０ａは、上記のように空気調和装置の冷媒回路の一部を構成しており、内部を流れる冷媒とシロッコファン５０，６０から押し出され吹出口４３から室内へ流れる空気との間で熱交換を行わせる。
【００２３】
また、第１空間Ｓ１に面するケーシング４１の側面板は、室外空気取込口４４を開けることができるように構成されている。具体的には、上記のケーシング４１の側面板には円形の切り込みが形成されており、現地での施工において、図４に示すように簡単に室外空気取込口４４を開けることができるようになっている。言い換えれば、上記のケーシング４１の側面板には室外空気取込口４４が形成され、その室外空気取込口４４が閉鎖部材４５で塞がれている状態となっている（図３参照）。この閉鎖部材４５を取り除くことで、簡単に室外空気取込口４４を開けることが可能である。
【００２４】
そして、シロッコファン６０の外側のベルマウス６２の周囲において、シロッコファン６０のスクロールケーシングには、後述する外気導入用のダクト７０の先端部７１を取り付けるための複数の孔（内面にねじ溝が形成されている孔）が設けられている。
＜室内機に対する外気導入用のダクトの接続方法＞
ここでは、室内機３ａの内部に外気を取り入れる構造として、シロッコファン６０のベルマウス６２に対して直接ダクト７０を接続させる構造を採る。この手順を、以下に説明する。
【００２５】
まず、最初に、室内機３ａのケーシング４１に室外空気取込口４４を開ける。言い換えれば、図３にある閉鎖部材４５を取り除き、室外空気取込口４４が開いた状態にする。この作業は、現地で行ってもよいし、予め工場等において行っておいてもよい。
次に、空気調和装置が設置される建物の外と内とを連通させる外気導入用のダクト７０の先端部７１を、室外空気取込口４４を通して室内機３ａのケーシング４１の中（第１空間Ｓ１）に引き込み、シロッコファン６０のベルマウス６２に接続させる。接続は、ダクト７０の先端部７１のフランジをシロッコファン６０のスクロールケーシングに設けられた孔にボルトで止めることにより行う。
【００２６】
このような作業によって、建物外から延びるダクト７０の先端部７１が室外空気取込口４４を貫通して直接シロッコファン６０のベルマウス６２に接続された状態となる（図４参照）。この状態においては、ベルマウス６２は外気だけを取り込む空気吸込口となり、そのベルマウス６２に対応するファンロータ６４は外気だけを外周側に吐き出す外気導入専用のロータとなる。
【００２７】
＜室内機の動作＞
次に、室内機３ａの動作について説明する。
シロッコファン５０，６０を回転させると、室内空気取込口４２を介してケーシング４１の内部（第１空間Ｓ１）に室内の空気が取り込まれる。この空気は、シロッコファン５０の両ベルマウス５１，５２およびシロッコファン６０の一方のベルマウス６１からシロッコファン５０，６０の内部に吸い込まれ、上部の吐出口から第２空間Ｓ２へと吐き出される。一方、シロッコファン６０の回転によってファンロータ６４も回転することになるが、このファンロータ６４の回転によってベルマウス６２からダクト７０内の外気がシロッコファン６０の内部に吸い込まれ、一定量の外気もシロッコファン６０の上部の吐出口から第２空間Ｓ２へと吐き出される。
【００２８】
シロッコファン５０，６０からケーシング４１内の第２空間Ｓ２に吐き出された室内空気および外気（室外空気）は、室内熱交換器３０ａによって冷媒との間で熱交換を行って空気調和される。そして、室内熱交換器３０ａにより空気調和された空気は、ケーシング４１の底部に設けられた吹出口４３から室内に吹き出される。
【００２９】
＜本発明に係る室内機の特徴＞
（１）
室内機３ａでは、２つのシロッコファン５０，６０から成る送風機構の複数のベルマウス５１，５２，６１，６２のうち、室外空気取込口４４に近いベルマウス６２について、室外空気取込口４４との接続を可能にしている。したがって、外気を室内機３ａから室内へと送り出して室内の換気を行いたい場合には、上記のようにして室外空気取込口４４とベルマウス６２とをダクト７０によって直接接続することにより、ベルマウス６２に対向するファンロータ６４が外気の取り込みだけのために仕事をするようになり、室内機３ａから十分な量の外気が室内へと供給されるようになる。
【００３０】
なお、上記の説明においては外気を室内へ導入することを前提としてダクト７０を室内機３ａに引き込んでいるが、外気導入の必要がない場合には、図３に示すように室外空気取込口４４を塞いだ状態で室内機３ａを使用することになる。この場合には、シロッコファン６０のベルマウス６２も室内空気を吸い込み、ファンロータ６４も他のファンロータ５３，５４，６３と同様に室内空気を室内熱交換器３０ａのある第２空間Ｓ２へと吐き出す役割を果たすことになる。
【００３１】
また、上記の説明では、送風機構を２つのシロッコファン５０，６０としているが、複数のベルマウスが存在する送風機構であれば、両吸込型の送風機１台から送風機構を構成しているものであっても本発明を適用することができる。
（２）
室内機３ａでは、室外空気取込口４４から取り込まれる外気は、シロッコファン６０に入る前に室内空気と衝突することなく、ベルマウス６２からシロッコファン６０の内部に直接吸い込まれるため、室内機３ａ内の第１空間Ｓ１における室内空気と外気との衝突が抑えられ、室内機３ａが発する騒音が小さくなる。
【００３２】
（３）
室内機３ａでは、汎用性を高めるために、室外空気取込口４４を閉鎖部材４５で塞ぐような構造を採っている。このため、外気を室内に取り入れる換気を空気調和装置で行う必要がない場合に、閉鎖部材４５を取り外さずに、すなわち室内機３ａと建物外とを連通させることなしに、そのまま外気導入機能のない空気調和装置の室内機として使用することが可能である。
【００３３】
（４）
上記の室内機３ａとダクト７０との接続方法では、建物の外部と連通するダクト７０を室外空気取込口４４から室内機３ａの内部に差し込んで、そのダクト７０の先端部７１をベルマウス６２に接続させている。このように、建物外から室内機３ａへと延びるダクト７０を利用して、室外空気取込口４４とそれに対応するシロッコファン６０のベルマウス６２とを接続しているため、別個の接続部品が必要なく、接続作業も簡易化されている。
【００３４】
（５）
室内機３ａでは、ケーシング４１の内側の第１空間Ｓ１にあるシロッコファン６０の吸込側に外気を導入させているため、導入された外気は必ず第２空間Ｓ２にある室内熱交換器３０ａを通って室内へと吹き出されることになる。したがって、冷房時に暖かい外気がそのまま室内へと流れ込んだり、暖房時に冷たい外気がそのまま室内に流れ込んだりすることがなく、室内に居る人に不快感を与えることが少ない。
【００３５】
＜変形例＞
（Ａ）
上記の説明においては、ダクト７０の先端部７１を利用して室外空気取込口４４とシロッコファン６０のベルマウス６２とを接続しているが、室内機の汎用性を考慮しなければ、図５に示すように最初から室内機の室外空気取込口４４とベルマウス６２とを接続管４６によって連結させておくことも考えられる。この場合には、外気導入用のダクト７０を室外空気取込口４４に装着すればよい。
【００３６】
（Ｂ）
室内機の汎用性を考慮せず、最初から室内機の室外空気取込口４４とベルマウス６２とを連結させる場合には、図６に示すように、室外空気取込口４４とベルマウス６２とを隣り合わせに配置して互いに接続された状態にすることも考えられる。この場合には、シロッコファン６０のベルマウス６２およびファンロータ６４は、室内空気の吸い込みには使うことができなり、外気導入専用の仕事だけを行うものとなる。ただ、このように構成すれば、ベルマウス６２と室外空気取込口４４との間に隙間を設ける必要がなくなり、室内機が小型化する。
【００３７】
（Ｃ）
上記の説明においては、室内空気を吸い込んで上方に吐き出すためのファンロータ５３，５４，６３も、室外空気を吸い込んで上方に吐き出すためのファンロータ６４も、羽根等の構造が同様のものを想定している。
しかし、外気導入用のダクト７０の長さや経路によっては、ダクト７０の圧力損失が大きくなり、外気の吸い込みに特化したファンロータ６４が十分に機能しないことも考えられる。そのような場合には、ファンロータ６４の静圧が他のファンロータ５３，５４，６３の静圧よりも大きくなるように、ファンロータ６４の選定を行うことが好ましい。
【００３８】
（Ｄ）
上記の説明では、新規の空気調和装置の室内機の構造を前提としているが、本発明を利用して、図７に示すような従来の室内機に対して、ダクト１７０を内部まで引き込ませてシロッコファン１６０の外側のベルマウスに直結させる工事をメンテナンス時などに行うことも考えられる。この場合には、ダクト１７０の先端をシロッコファン１６０に直結するための孔などが存在しないため、現地において簡単な改造工事を行うことにはなるが、新規の室内機を設置するよりもコストが抑えられる。このような改造工事によって図７に示す状態から図４に示すような状態に変えれば、図８に示すブースタファン１８０等をつけることなく、本格的な外気の導入を図ることが可能となる。また、図７に示す状態や図８に示す状態に較べて、騒音レベルを小さくすることができる。
【００３９】
【発明の効果】
請求項１に係る空気調和装置の室内機では、従来のように単に室内機の内部に室外空気を取り込ませるのではなく、送風機構の複数の空気吸込口の１つ（あるいは複数）に対して室外空気取込口を直接に接続させることができるため、室外空気の取り込み量を確保することが可能となる。また、換気を行うために室外空気取込口を対応する送風機構の空気吸込口に接続した場合において、室外空気取込口から取り込まれる室外空気は、送風機構に入る前に室内空気と衝突することなく、送風機構内に直接吸い込まれるため、室内機の内部における室内空気と室外空気との衝突が抑えられ、室内機が発する騒音が小さくなる。
【００４０】
請求項２に係る空気調和装置の室内機では、室外空気取込口とそれに対応する送風機構の空気吸込口とを、隣接させ予め接続させている。すなわち、室外空気取込口に接続可能な上記の空気吸込口を、室外空気の吸込口としても室内空気の吸込口としても使えるものではなく、専用の室外空気の吸込口としている。このため、上記の空気吸込口と室外空気取込口との間に隙間を設ける必要がなくなり、室内機が小型化する。
【００４１】
請求項３に係る空気調和装置の室内機では、室内機の汎用性を高めるために、室外空気取込口を閉鎖部材で塞いでいる。このため、室外空気を室内に取り入れる換気を空気調和装置の室内機で行う必要がない場合に、閉鎖部材を取り外さずに、すなわち室内機と外部とを連通させることなしに、そのまま室外空気取り込み機能なしの空気調和装置として使用することが可能である。一方、換気を行わせたいときには、閉鎖部材を室外空気取込口から取り外し、室外空気取込口とそれに対応する送風機構の空気吸込口とを接続すればよい。
【００４２】
請求項４に係る室内機設置方法では、閉鎖部材を室外空気取込口から取り外した後に、建物の外部と連通するダクトを室外空気取込口から室内機の内部に差し込んで、そのダクトの先端を空気吸込口に接続させる。このように、建物の外部から室内機へと延びるダクトを利用して、室外空気取込口と対応する送風機構の空気吸込口とを接続しているため、別個の接続部品が必要なくなるとともに、接続作業も簡易化される。
【００４３】
請求項５に係る空気調和装置の室内機では、室外空気を吸い込むことに使用され得る第１ファンロータを、第２ファンロータよりも静圧の大きいものとしている。これにより、室外空気のある外部と室内機の設置場所とが離れていて、室外空気を室内機まで取り込むためのダクトが長くて圧力損失の大きいものになる場合にも、室外空気を送風機構によって吸い込むことができるようになる。
【図面の簡単な説明】
【図１】空気調和装置の概略を示す冷媒系統図。
【図２】室内機の縦断面図。
【図３】本発明の一実施形態に係る室内機の横断面図（図２のＩＩＩ−ＩＩＩ断面図）。
【図４】室内機に外気導入用のダクトを接続した状態を示す図。
【図５】変形例（Ａ）における室内機に外気導入用のダクトを接続した状態を示す図。
【図６】変形例（Ｂ）における室内機に外気導入用のダクトを接続した状態を示す図。
【図７】従来の室内機に外気導入用のダクトを接続した状態を示す図。
【図８】従来の室内機にブースタファンを含む外気導入用のダクトを接続した状態を示す図。
【符号の説明】
３ａ　　室内機
４２　　室内空気取込口
４４　　室外空気取込口
４５　　閉鎖部材
５０　　シロッコファン（送風機構）
５１，５２　　ベルマウス（空気吸込口）
５３，５４　　ファンロータ（第２ファンロータ）
６０　　シロッコファン（送風機構）
６１　　ベルマウス（空気吸込口）
６２　　ベルマウス（空気吸込口）
６３　　ファンロータ（第２ファンロータ）
６４　　ファンロータ（第１ファンロータ）
７０　　ダクト
７１　　ダクトの先端部
【図１】
2004061075.tif 000003
【図２】
2004061075.tif 000004
【図３】
2004061075.tif 000005
【図４】
2004061075.tif 000006
【図５】
2004061075.tif 000007
【図６】
2004061075.tif 000008
【図７】
2004061075.tif 000009
【図８】
2004061075.tif 000010